(57)【要約】      （修正有）【課題】限られた生活空間において、幻想的かつ無限の奥行きを表現できる仏壇を設置すること、現代人に心の空間を確保すること。【解決手段】正面扉と、前記正面扉の内側に設けられた１個または複数個の棚４と、前記正面扉の内側奥に設けられた光源と、前記光源の前方に設けられた遮蔽板６と、前記棚を支持する側部構造体とからなる仏壇１であって、前記側部構造体が、上面視で円弧状に形成されてなる。【選択図】図１
0003138349.tif 000002
【実用新案登録請求の範囲】
【請求項１】
側部構造体に開閉可能に設けられた正面扉と、
前記側部構造体に支持され、かつ前記正面扉の内側に設けられた１個または複数個の棚と、
前記正面扉の内側奥に設けられた光源と、
前記光源の前方に設けられた遮蔽板とからなる仏壇であって、
前記側部構造体が、上面視で円弧状に形成されてなる仏壇。
【考案の詳細な説明】
【技術分野】
【０００１】
本考案は、仏壇に関する。さらに詳しくは、正面扉の内側に、１個または複数個の棚および棚の奥に光源が設けられ、前記光源の前方に遮蔽板が設けられ、前記棚を支持する側部構造体とからなる仏壇であって、前記側部構造体が、上面視で円弧状に形成されてなる仏壇である。
【背景技術】
【０００２】
従来、日本には、居住空間内に仏壇を設けて、亡くなった人を供養する習慣がある。しかし、昨今の集合住宅などにおいては、生活空間の確保を最優先させるという理由から、仏間や床の間などを省いて設計する傾向にある。しかし、日常生活において仏への信仰を深めること、先祖を供養することの重要性が再認識されつつあり、現代の暮らしやインテリアに合わせた、仏壇、仏具が注目されている。そのため、限られた生活空間で心の空間を確保するための種々の仏壇が開発されている。
【考案の開示】
【考案が解決しようとする課題】
【０００３】
本考案は、限られた生活空間において、幻想的かつ無限の奥行きを表現できる仏壇を設置すること、現代人に心の空間を確保することを目的とする。
【課題を解決するための手段】
【０００４】
本考案の仏壇は、側部構造体に開閉可能に設けられた正面扉と、前記側部構造体に支持され、かつ前記正面扉の内側に設けられた１個または複数個の棚と、前記正面扉の内側奥に設けられた光源と、前記光源の前方に設けられた遮蔽板とからなる仏壇であって、前記側部構造体が、上面視で円弧状に形成されてなることを特徴としている。
【０００５】
また、前記遮蔽版に、複数個の貫通孔が縦に並べられてなることが好ましい。
【考案の効果】
【０００６】
本考案によれば、現代の暮らしやインテリアと整合し、限られた生活空間で心の空間を確保できる仏壇を設置することができる。
【考案を実施するための最良の形態】
【０００７】
本考案にかかわる仏壇は、側部構造体に開閉可能に設けられた正面扉と、前記側部構造体に支持され、かつ前記正面扉の内側に設けられた１個または複数個の棚と、前記正面扉の内側奥に設けられた光源と、前記光源の前方に設けられた遮蔽板とからなる仏壇であって、前記側部構造体が、上面視で円弧状に形成されてなる。
【０００８】
以下、添付図面を参照して、本考案の仏壇を詳細に説明する。
【０００９】
図１は、本考案の仏壇の一実施形態（実施の形態１）における正面図である。図２は、本考案の仏壇の一実施形態（実施の形態１）における正面図である。図３は、本考案の仏壇の一実施形態（実施の形態１）の遮蔽板を取り外した状態を説明するための正面図である。図４は、本考案の仏壇の一実施形態（実施の形態１）の上面断面図である。図５は、本考案の仏壇の一実施形態（実施の形態２）における正面図である。
【００１０】
実施の形態１
実施の形態１の仏壇１は、図１〜４に示されるように、側部構造体２に開閉可能に設けられた正面扉３と、前記側部構造体２に支持され、かつ正面扉３の内側に設けられた１個または複数個の棚４（図１では３個の場合を例示）と、正面扉３の内側に設けられた光源５と、光源５の前方に設けられた遮蔽板６と、棚４を支持する側部構造体２とから構成されている。参照符号７は位牌である。
【００１１】
前記正面扉３は、１または複数枚の戸板（第一の戸板３ａと第二の戸板３ｂ）によって構成されている（図４では４枚の戸板が中折れ式かつ観音開き式に２枚ずつ左右に開閉できるよう、左右の框８とヒンジ９で連結されている場合を例示）。なお、戸板の開閉様式は、上記中折れ式や観音開き式に限定されることはなく、片引き式やスライド式であってもよく当業者に自明の各種開閉様式を採用することができる。また、戸板の枚数も４枚に限定されることはなく、自由に選択できる。なお、本実施の形態で用いるヒンジ９は、当業者に自明の各種ヒンジを用いることができるが、出願人が発明したストレートタイプの特殊な蝶番（特許第３７７４１７４号）を用いることにより、設置部材同士の隙間をほとんど無くすことのできるため、より外観上の見栄えを向上させることができる。本実施の形態では、框８と第一の戸板３ａの連結には一般的なヒンジ９ａを用いており、第一の戸板３ａと第二の戸板３ｂの連結には前述のストレートタイプの蝶番９ｂを用いている。なお、第一の戸板３ａのヒンジ９ａ設置箇所に対し、対角位置にストレートタイプの蝶番９ｂを設置することにより、中折れ式に開閉することができる。また、正面扉３を開閉する際の利便性から、第二の戸板３ｂの底部には手がかり３ｃが設けられている。
【００１２】
前記棚４は、花瓶を設置したり、香炉や位牌７などの各種仏具を置く須弥壇として機能する。また、後述の側部構造体２に嵌め込み式に設けられている。このように設置することにより、固着部材を使用することなく、外観上の見栄えがよい。また、仏壇１を構成する素材を傷つけることがないため、強度も充分に高く保つことができる。
【００１３】
光源５は、正面扉３の内側奥に、正面方向に設けられている。光源５の種類としては、利便性から蛍光灯が汎用されるが、特に限定されることはなく、当業者に自明の各種光源を使用することができる。
【００１４】
また、本実施の形態では、図２、図３に示されるように、光源５は後述の遮蔽板６よりも長い蛍光灯が縦置きに設置されており、その一端は上の棚４と下の棚４の間にまで至っているが、光源５の長さは特に限定されるものではなく、遮蔽板６と同程度かそれ以下の長さであっても問題はない。光源５の長さを、本実施の形態のように、比較的長いものを用い、上の棚４と下の棚４の間まで至るよう設計することにより、仏壇１内部のより広い範囲まで照らすことができる。
【００１５】
図１、図２に示されるように、前記光源５の前方には、光源５から発せられる光が直接前方を照らさないよう、また、外観上、光源５（照明器具）を外部に晒すことがないよう、遮蔽板６が設けられている。これにより、後述の位牌７を後方から照らすことが可能となり、位牌７に記された文字や模様の視認性を向上させることができる。なお、遮蔽板６の種類としては、各種木材が用いられるが、陶器などを用いてもなんら問題はなく、当業者に自明の各種素材を用いることができる。
【００１６】
遮蔽板６は、前記棚４に設けられた差込部３ｃに対して嵌めこみ式に設置されており、着脱が容易であるため、照明器具の交換や周囲の清掃が容易である。
【００１７】
また、遮蔽板６には、１個または複数個の貫通孔６ａが設けられている（図１では６個の場合を例示）。貫通孔６ａを設けることにより、光源５から発せられた光が貫通孔６ａを通過する。それにより、遮蔽板６の前に設置された仏具（たとえば仏像など）を後方から照らすことができる。なお、貫通孔６ａの大きさは、適宜選択することができるが、前述のように光源５（照明器具）が晒されないような大きさであることが好ましい。
【００１８】
側部構造体２は、前記棚４を支える部材であり、上面視で円弧状に形成されている。円弧状に形成されていることにより、前述の光源５から発せられた光は、前述の遮蔽板６で一度反射され、その反射光が側部構造体２によりさらに反射され、前方へ発せられる。それにより、仏壇１から柔らかな光が発せられているよう演出することができ、正面視で無限の奥行きを演出することができる。なお、側部構造体２は、外観上の見栄え向上、または反射の度合いを調節するため、たとえば金で塗装を施すことや、さまざまな色彩で塗装することが可能である。前述の遮蔽板６の色合いや、側部構造体２の塗装の色合い、光源５の色合いや光量によって、前方へ発せられる光の量を調節することが可能である。
【００１９】
また、本実施の形態では、透過性を有する素材（たとえばクリスタル）からなる位牌７を使用する際に、非常に効果的である。従来の位牌は、黒色の素材からなり、文字や模様が施されていることが多かったが、最近では、透過性素材からなる位牌は、文字や模様が映えるという点で注目されている。しかし、仏壇の照明が天井方向からや横方向からのみでは、従来品、透過性素材からなる位牌に限らず、文字や模様の視認性が悪いという問題があった。
【００２０】
本実施の形態のように、仏壇１内部に正面方向に光源５を設置し、側部構造体２を円弧状に形成することにより、位牌７を種々の方向から照らすことができ、視認性を格段に向上できる。特に、透過性素材からなる位牌７においては、後方からの光の照射により、非常に荘厳であり、高級感を与えることができ、かつ神々しさを付与することもできる。
【００２１】
なお、本実施の形態では、側部構造体２は、外枠２ａは正面が開放された箱体を形成しているが、内枠２ｂは別部材により円弧状に形成されており、二重構造となっている。側部構造体２の形状は、上記形状に限定されず、外枠２ａ、内枠２ｂともに円弧状に形成されていてもよい。また、二重構造でなくてもよく、自由に選択できる。
【００２２】
実施の形態２
実施の形態２の仏壇１０は、図５に示されるように、遮蔽板６に貫通孔６ａが設けられていないほかは、実施の形態１の仏壇１と同一の構成であるため、詳細な説明は省略する。
【００２３】
前述のように、貫通孔６ａを設けることによって、遮蔽板６の前に設置された仏具（たとえば仏像など）を後方から照らすことができるが、貫通孔６ａがなくとも、側部構造体２が円弧状に形成されているため、光源５の光量や色合い、側部構造体２の色合いや塗装によって充分に遮蔽板６前方の仏具を照らすことが可能である。
【００２４】
以上、本考案の仏壇によれば、仏壇内部に正面方向に光源を設置し、側部構造体を円弧状に形成することにより、仏壇から柔らかな光が発せられているよう演出することができ、限られた生活空間において、幻想的かつ無限の奥行きを表現できる仏壇を設置することができる。
【００２５】
それにより、現代人に心の空間を確保することができ、日常生活において仏への信仰を深めること、先祖を供養することの一助とすることが可能である。
【図面の簡単な説明】
【００２６】
【図１】本考案の仏壇の一実施形態（実施の形態１）における正面図である。
【図２】本考案の仏壇の一実施形態（実施の形態１）における正面図である。
【図３】本考案の仏壇の一実施形態（実施の形態１）の遮蔽板を取り外した状態を説明するための正面図である。
【図４】本考案の仏壇の一実施形態（実施の形態１）の上面断面図である。
【図５】本考案の仏壇の一実施形態（実施の形態２）における正面図である。
【符号の説明】
【００２７】
１、１０  仏壇
２  側部構造体
２ａ  外枠
２ｂ  内枠
３  正面扉
３ａ  第一の戸板
３ｂ  第二の戸板
３ｃ  手がかり
４  棚
５  光源
６  遮蔽板
６ａ  貫通孔
７  位牌
８  框
９、９ａ  ヒンジ
９ｂ  ストレートタイプの蝶番
【図１】
0003138349.tif 000003
【図２】
0003138349.tif 000004
【図３】
0003138349.tif 000005
【図４】
0003138349.tif 000006
【図５】
0003138349.tif 000007